(57)【要約】【課題】舌片が切り込みから引き抜けることを防止でき、隣り合う側壁板同士を確実且つ強固に結合して組み立てることを可能にした紙容器を提供する。【解決手段】紙容器Ｂの組み立て時に舌片１１を切り込み１２に差し込んで係止することによって隣り合う側壁板３ａ、３ｂ同士を結合させる第１ロック機構１０に加えて、コーナー部折り罫線６上に形成され、一方の側壁板３ａの上端から下端側に向けて凹む切り欠き部１６と、他方の側壁板３ｂの上端側に形成され、他方の側壁板３ｂの側端から横方向Ｔ２外側に延設された係合凸部１７とからなり、紙容器Ｂの組み立て時に係合凸部１７を切り欠き部１６に挿入して係合させることによって、第１ロック機構１０によるロックが緩む方向Ｓ１に力が作用した際に隣り合う側壁板３ａ、３ｂ同士の相対変位を規制する第２ロック機構２０を備える。【選択図】図４
2013052884.tif 000002
【特許請求の範囲】
【請求項１】
多角形状の底板と、前記底板の外周辺に側壁板折り罫線を介して連設された複数の側壁板とを備える一枚の板紙を用い、前記側壁板折り罫線で前記側壁板を折り曲げるとともに、隣り合う前記側壁板同士を結合して組み立てられる紙容器であって、
隣り合う一方の側壁板の側端側に、コーナー部折り罫線を介して横方向外側に延出し、紙容器の組み立て時に前記コーナー部折り罫線で折り曲げて他方の側壁板に重なる重合部が形成されており、
前記一方の側壁板の重合部の側端から横方向外側に向かうに従い前記上方あるいは下方に延設した舌片と、前記他方の側壁板の側端側に形成された切り込みとからなり、紙容器の組み立て時に前記舌片を前記切り込みに差し込んで係止することによって隣り合う側壁板同士を結合させる第１ロック機構と、
前記コーナー部折り罫線上に形成され、前記一方の側壁板の上端から下端側に向けて凹む切り欠き部と、前記他方の側壁板の上端側に形成され、前記他方の側壁板の側端から横方向外側に延設された係合凸部とからなり、紙容器の組み立て時に前記係合凸部を前記切り欠き部に挿入して係合させることによって、前記第１ロック機構によるロックが緩む方向に力が作用した際に隣り合う側壁板同士の相対変位を規制する第２ロック機構とを備えていることを特徴とする紙容器。
【請求項２】
請求項１記載の紙容器において、
前記他方の側壁板の側端から横方向外側に延設された突片部からなり、紙容器の組み立て時に前記突片部が前記一方の側壁板の前記コーナー部折り罫線上に当接することによって、前記第１ロック機構によるロックが緩む方向に力が作用した際に隣り合う側壁板同士の相対変位を規制する第３ロック機構を備えていることを特徴とする紙容器。
【請求項３】
請求項１または請求項２に記載の紙容器において、
前記第２ロック機構の前記係合凸部が、先端に引掛け部を備えて鉤状に形成されていることを特徴とする紙容器。
【請求項４】
請求項１または請求項２に記載の紙容器において、
前記第２ロック機構が、前記切り欠き部に前記係合凸部を挿入して係合させるとともに前記係合凸部の先端側を折り返して前記一方の側壁板の側端を拘束し、隣り合う側壁板同士の相対変位を規制するように構成されていることを特徴とする紙容器。
【請求項５】
請求項１から請求項４のいずれか一項に記載の紙容器において、
耐水性及び／又は耐熱性を有する前記板紙を用いて形成されていることを特徴とする紙容器。
【請求項６】
請求項１から請求項５のいずれか一項に記載の紙容器において、
内面に発熱シートが貼着されていることを特徴とする紙容器。
【請求項７】
請求項１から請求項６のいずれか一項に記載の紙容器において、
前記多角状の底板の周方向に連続して並ぶ３つの外周辺のうち、１つの第１の外周辺を間に周方向両側に配された第２の外周辺と第３の外周辺にそれぞれ前記側壁板が連設され、
前記第２の外周辺に連設された前記側壁板に、コーナー部折り罫線を介して横方向外側に延出し、紙容器の組み立て時に前記コーナー部折り罫線で折り曲げて前記第１の外周辺に沿って配設される側壁板が連設されており、
前記底板が、前記第１の外周辺部分に該第１の外周辺に沿って配設される側壁板の下端を支持するように外側に延出する額部を備えて形成されていることを特徴とする紙容器。
【発明の詳細な説明】
【技術分野】
【０００１】
本発明は、一枚のブランク（打ち抜かれた板紙）を折り曲げて組み立てられ、食品などの包装に用いられる紙容器に関する。
【背景技術】
【０００２】
従来、食品などの包装用として、プラスチック製や発泡スチロール製のトレー状あるいは箱状の容器が多用されている。一方で、プラスチック製や発泡スチロール製の容器は、回収し再利用することが進められているが、焼却時に有毒ガスが発生するなど、廃棄処理を行う上での大きな課題がある。
【０００３】
このため、近年、食品の包装用容器などとして紙容器を採用するケースが増大してきている。また、この種の紙容器は、例えば、多角形状の底板（１）と、底板（１）の各辺に側壁板折り罫線（２）を介して連設された側壁板（３）とを備える一枚のブランク（打ち抜かれた板紙）（４）を製作し、このブランク（４）の側壁板（３）を側壁板折り罫線（２）で折り曲げ、インラインの製函工程でトレー状や箱状に組み立てて形成される（図１５、図１６参照）。また、隣り合う一方の側壁板（３ａ）の側端側に、コーナー部折り罫線（６）を介して横方向（Ｔ１）外側に延出する重合部（７）を形成しておき、一方の側壁板（３ａ）の重合部（７）をコーナー部折り罫線（６）で折り曲げて隣り合う他方の側壁板（３ｂ）に重ね合わせ、この重合部（７）を接着剤で接着することにより、隣り合う側壁板（３ａ、３ｂ）同士を結合するようにしている。
【０００４】
一方、例えば図１５から図１７に示すように、重合部７を接着剤で接着して隣り合う側壁板３ａ、３ｂ同士を結合するのではなく、ロック機構（第１ロック機構）１０によって隣り合う側壁板３ａ、３ｂ同士を着脱可能に係止させて結合するようにした紙容器Ａがある（例えば、特許文献１、特許文献２参照）。このロック機構１０は、一方の側壁板３ａの重合部７の側端から横方向Ｔ１外側に向かうに従い漸次上方に延設した舌片（フック）１１と、紙容器Ａのコーナー部となる他方の側壁板３ｂの側端から横方向Ｔ２内側の所定位置に設けられ、他方の側壁板３ｂの一面から他面に貫通するように形成した切り込み１２とから構成されている。
【０００５】
そして、このようなロック機構１０を備えた紙容器Ａは、図１７に示すように、一方の側壁板３ａの重合部７をコーナー部折り罫線６で折り曲げて隣り合う他方の側壁板３ｂに重ね合わせる際に、一方の側壁板３ａの舌片１１を他方の側壁板３ｂの一面側から切り込み１２に差し込んで他方の側壁板３ｂの他面側に出すと、舌片１１の重合部７側を向く係止端１１ａが切り込み１２部分の係止受端１２ａに引っ掛かり、舌片１１が切り込み１２部分に係止されて隣り合う側壁板３ａ、３ｂ同士が結合する。
【０００６】
これにより、ロック機構１０を備えた紙容器Ａは、舌片１１を切り込み１２に差し込むことで、容易に隣り合う側壁板３ａ、３ｂ同士を結合して紙容器Ａを組み立てることができる。また、接着剤を使用しないため、例えば、冷凍食品とともに電子レンジで加熱される電子レンジ加熱用紙容器などに用いるのに適している。
【先行技術文献】
【特許文献】
【０００７】
【特許文献１】実開昭５０−７８６３３号公報
【特許文献２】実用新案登録第１０３１４号公報
【発明の概要】
【発明が解決しようとする課題】
【０００８】
しかしながら、上記従来のロック機構１０を備えた紙容器Ａにおいては、図１８（ａ）に示すように、隣り合う側壁板３ａ、３ｂ同士が舌片１１の係止端１１ａと切り込み１２部分の係止受端１２ａの１箇所の引っ掛かりによって結合し、また、舌片１１を切り込み１２に差し込む操作性を確保するため、隣り合う側壁板３ａ、３ｂ同士の結合部分に僅かな遊びを設けるようにしている。このため、図１８（ｂ）に示すように、組み立て後、使用中に舌片１１の係止端１１ａが切り込み１２の係止受端１２ａから離れるように、舌片１１が切り込み１２から奥に押し込まれると（ロックが緩む方向Ｓ１に力が作用すると）、図１８（ｃ）に示すように、再度舌片１１の係止端１１ａが切り込み１２の係止受端１２ａに当接するように戻る際に（側壁板３を開く方向Ｓ２に力が作用して）、係止端１１ａが係止受端１２ａに引っ掛からず、舌片１１が切り込み１２から引き抜けてしまう場合があった。そして、このように舌片１１が切り込みから引き抜けることで、隣り合う側壁板３ａ、３ｂ同士の結合が解除され、紙容器Ａが解体されてしまうおそれがあった。
【０００９】
また、例えば冷凍食品を収納する紙容器Ａの場合など、水分によって舌片１１が軟化し、さらに舌片１１が切り込み１２から引き抜けやすくなる場合もある。
【００１０】
本発明は、上記事情に鑑み、舌片が切り込みから引き抜けることを防止でき、隣り合う側壁板同士を確実且つ強固に結合して組み立てることを可能にした紙容器を提供することを目的とする。
【課題を解決するための手段】
【００１１】
上記の目的を達するために、この発明は以下の手段を提供している。
【００１２】
本発明の紙容器は、多角形状の底板と、前記底板の外周辺に側壁板折り罫線を介して連設された複数の側壁板とを備える一枚の板紙を用い、前記側壁板折り罫線で前記側壁板を折り曲げるとともに、隣り合う前記側壁板同士を結合して組み立てられる紙容器であって、隣り合う一方の側壁板の側端側に、コーナー部折り罫線を介して横方向外側に延出し、紙容器の組み立て時に前記コーナー部折り罫線で折り曲げて他方の側壁板に重なる重合部が形成されており、前記一方の側壁板の重合部の側端から横方向外側に向かうに従い前記上方あるいは下方に延設した舌片と、前記他方の側壁板の側端側に形成された切り込みとからなり、紙容器の組み立て時に前記舌片を前記切り込みに差し込んで係止することによって隣り合う側壁板同士を結合させる第１ロック機構と、前記コーナー部折り罫線上に形成され、前記一方の側壁板の上端から下端側に向けて凹む切り欠き部と、前記他方の側壁板の上端側に形成され、前記他方の側壁板の側端から横方向外側に延設された係合凸部とからなり、紙容器の組み立て時に前記係合凸部を前記切り欠き部に挿入して係合させることによって、前記第１ロック機構によるロックが緩む方向に力が作用した際に隣り合う側壁板同士の相対変位を規制する第２ロック機構とを備えていることを特徴とする。
【００１３】
この発明においては、従来と同様、第１ロック機構の舌片を切り込みに差し込み、舌片の重合部側を向く係止端を切り込み部分の係止受端に引っ掛け、舌片が切り込み部分に係止されることで、側壁板が開く方向に相対変位することを第１ロック機構によって規制するようにして隣り合う側壁板同士を結合することができ、紙容器をトレー状や箱状に組み立てることができる。
【００１４】
また、第１ロック機構で隣り合う側壁板同士を結合するとともに、第２ロック機構の一方の側壁板に形成した切り欠き部に、他方の側壁板に形成した係合凸部を挿入して係合させる。そして、このように第２ロック機構の切り欠き部に係合凸部を係合させることで、第１ロック機構の舌片の係止端と係止受端の引っ掛け状態が解除され、すなわち、舌片が切り込みにさらに押し込まれ、第１ロック機構のロックが緩む方向に側壁板が相対変位することを第２ロック機構によって規制することができる。これにより、組み立て後、使用中に第１ロック機構の舌片が切り込みから引き抜けることを防止できる。
【００１５】
また、本発明の紙容器においては、前記他方の側壁板の側端から横方向外側に延設された突片部からなり、紙容器の組み立て時に前記突片部が前記一方の側壁板の前記コーナー部折り罫線上に当接することによって、前記第１ロック機構によるロックが緩む方向に力が作用した際に隣り合う側壁板同士の相対変位を規制する第３ロック機構を備えていることが望ましい。
【００１６】
この発明においては、紙容器の組み立て時に突片部が一方の側壁板のコーナー部折り罫線上に当接することによって、第２ロック機構とともに、第３ロック機構によっても、第１ロック機構の舌片の係止端と係止受端の引っ掛け状態が解除され（舌片が切り込みにさらに押し込まれ）、第１ロック機構のロックが緩む方向に側壁板が相対変位することを規制することができる。これにより、組み立て後、より確実に、第１ロック機構の舌片が切り込みから引き抜けることを防止できる。
【００１７】
さらに、本発明の紙容器においては、前記第２ロック機構の前記係合凸部が、先端に引掛け部を備えて鉤状に形成されていることがより望ましい。
【００１８】
この発明においては、第２ロック機構の係合凸部を切り欠き部に挿入して係合させるとともに、鉤状の係合凸部の先端に設けられた引掛け部を一方の側壁板に引っ掛けて係止することができる。これにより、第２ロック機構によって第１ロック機構のロックが緩む方向に側壁板が相対変位することを規制することに加え、一方の側壁板を引掛け部で係止することにより、側壁板が開く方向に相対変位することをも第２ロック機構によって規制することが可能になる。よって、組み立て後、さらに確実に、第１ロック機構の舌片が切り込みから引き抜けることを防止することが可能になる。
【００１９】
また、本発明の紙容器においては、前記第２ロック機構が、前記切り欠き部に前記係合凸部を挿入して係合させるとともに前記係合凸部の先端側を折り返して前記一方の側壁板の側端を拘束し、隣り合う側壁板同士の相対変位を規制するように構成されていてもよい。
【００２０】
この発明においては、第２ロック機構の係合凸部を切り欠き部に挿入して係合させるとともに係合凸部の先端側を折り返すことにより、一方の側壁板の側端を係合凸部で拘束するようにして係止することができる。これにより、第２ロック機構によって第１ロック機構のロックが緩む方向に側壁板が相対変位することを規制することに加え、係合凸部を折り返して一方の側壁板を係止することで、側壁板が開く方向に相対変位することをも第２ロック機構によって規制することが可能になる。これにより、組み立て後、さらに確実に、第１ロック機構の舌片が切り込みから引き抜けることを防止できる。
【００２１】
さらに、本発明の紙容器においては、耐水性及び／又は耐熱性を有する前記板紙を用いて形成されていることがより望ましい。
【００２２】
この発明においては、食品など、水分が多く、加熱を要する収納物を好適に収納可能な紙容器を提供することができる。
【００２３】
また、本発明の紙容器においては、内面に発熱シートが貼着されていてもよい。
【００２４】
この発明においては、例えば冷凍ピザなどの食品（冷凍食品）を収納し、電子レンジで冷凍食品とともに加熱して使用される紙容器である場合に、内面に、電子レンジから照射される電磁波を受けることによって発熱する発熱シート（サセプター）を貼着して紙容器を構成することにより、食品の発熱シートに接する面に焦げ目をつけたり、カリッとした仕上がりにすることが可能になる。
【００２５】
さらに、本発明の紙容器においては、前記多角状の底板の周方向に連続して並ぶ３つの外周辺のうち、１つの第１の外周辺を間に周方向両側に配された第２の外周辺と第３の外周辺にそれぞれ前記側壁板が連設され、前記第２の外周辺に連設された前記側壁板に、コーナー部折り罫線を介して横方向外側に延出し、紙容器の組み立て時に前記コーナー部折り罫線で折り曲げて前記第１の外周辺に沿って配設される側壁板が連設されており、前記底板が、前記第１の外周辺部分に、該第１の外周辺に沿って配設される側壁板の下端を支持するように外側に延出する額部を備えて形成されていてもよい。
【００２６】
この発明においては、多角状の底板の周方向に連続して並ぶ３つの外周辺のうち、１つの第１の外周辺を間に周方向両側に配された第２の外周辺と第３の外周辺にそれぞれ側壁板が連設されている場合に、底板に形成した額部によって、第１の外周辺に沿って配設される側壁板を受けてその下端を支持することにより、この第１の外周辺に沿って配設される側壁板が落ち込むことを防止でき、組み立て後、使用中に、第１の外周辺に沿って配設される側壁板の落ち込みに伴って第１ロック機構の舌片が切り込みから引き抜けることを防止できる。
【００２７】
また、多角状の底板の周方向に連続して並ぶ３つの外周辺のうち、１つの第１の外周辺を間に周方向両側に配された第２の外周辺と第３の外周辺にそれぞれ側壁板が連設されている場合には、第１ロック機構や第２ロック機構の数を減らすことができ、成形機構を容易にすることも可能になる。
【発明の効果】
【００２８】
本発明の紙容器においては、第１ロック機構によって側壁板が開く方向に相対変位することが規制され、第２ロック機構によって第１ロック機構のロックが緩む方向に相対変位することが規制されるため、組み立て後、使用中に第１ロック機構の舌片が切り込みから引き抜けることを防止でき、隣り合う側壁板同士を確実且つ強固に結合して紙容器を組み立てることが可能になる。
【００２９】
また、例えば冷凍食品を収納する紙容器の場合など、水分によって舌片が軟化しても、第２ロック機構を備えることで舌片が切り込みから引き抜けることを防止することができる。
【図面の簡単な説明】
【００３０】
【図１】本発明の第１実施形態に係るブランクを示す平面視図である。
【図２】本発明の第１実施形態に係る紙容器を示す斜視図である。
【図３】本発明の第１実施形態に係るブランクの第１ロック機構、第２ロック機構、第３ロック機構の拡大図である。
【図４】本発明の第１実施形態に係る紙容器を示す斜視図であり、コーナー部を内側から見た図である。
【図５】本発明の第１実施形態に係る紙容器を示す斜視図であり、コーナー部を外側から見た図である。
【図６】第１ロック機構、第２ロック機構、第３ロック機構の拡大図であり、本発明の第１実施形態に係る第２ロック機構の変形例を示す図である。
【図７】図６の紙容器を示す斜視図であり、コーナー部を内側から見た図である。
【図８】図６の紙容器を示す斜視図であり、コーナー部を外側から見た図である。
【図９】第１ロック機構、第２ロック機構、第３ロック機構の拡大図であり、本発明の第１実施形態に係る第２ロック機構の変形例を示す図である。
【図１０】図９の紙容器を示す斜視図であり、コーナー部を外側から見た図である。
【図１１】本発明の第２実施形態に係るブランクを示す平面視図である。
【図１２】本発明の第２実施形態に係る紙容器を示す斜視図であり、コーナー部を外側から見た図である。
【図１３】本発明の第２実施形態において、第１ロック機構の舌片が切り込みから引き抜ける現象の説明に用いた斜視図である。
【図１４】本発明の第２実施形態において、第１ロック機構の舌片が切り込みから引き抜ける現象の説明に用いた斜視図である。
【図１５】従来のブランクを示す平面視図である。
【図１６】従来の紙容器を示す斜視図である。
【図１７】従来の紙容器を示す斜視図であり、コーナー部を内側から見た図である。
【図１８】従来の紙容器において、第１ロック機構の舌片が切り込みから引き抜ける現象の説明に用いた斜視図である。
【発明を実施するための形態】
【００３１】
以下、図１から図５を参照し、本発明の第１実施形態に係る紙容器について説明する。なお、本実施形態は、例えば冷凍ピザなどの冷凍食品を収納し、オーブンや電子レンジなどで冷凍食品とともに加熱される紙容器に関するものである。なお、本発明は、冷凍食品の包装用の紙容器に限定する必要はなく、あらゆる物品の包装用紙容器に適用可能である。
【００３２】
本実施形態の紙容器Ｂは、図１及び図２に示すように、平面視八角形の底板１と、底板１の各外周辺に連設された８つの側壁板３とを備えた一枚のブランク（板紙）４をインラインの製函工程で組み立てて形成されている。また、この紙容器Ｂは、底板１の各外周辺に沿って側壁板折り罫線２が設けられており、底板１に連設された各側壁板３を側壁板折り罫線２で折り曲げ、隣り合う側壁板３ａ、３ｂの端部側同士を結合して、トレー状（あるいは箱状）に組み立てられている。
【００３３】
また、本実施形態では、耐水性及び耐熱性を有するブランク４を用いて紙容器Ａが形成されている。さらに、紙容器Ａの内面（本実施形態では底板１の内面）には、電子レンジから照射される電磁波を受けることによって発熱する発熱シート（サセプター）１５が貼着して設けられている。
【００３４】
また、本実施形態において、底板１は、４つの長辺（長い外周辺）と、２つの長辺の間にそれぞれ配される４つの短辺（短い外周辺）とを備えて平面視略矩形状を呈するように形成されている。そして、底板１の４つの長辺部分に、この長辺の長さに応じた大きな長さの４つの側壁板３ｂ（他方の側壁板：以下、長辺側壁板という）が側壁板折り罫線２を介して連設され、底板１の４つの短辺部分に、短辺の長さに応じた小さな長さの４つの側壁板３ａ（一方の側壁板：以下、短辺側壁板という）が側壁板折り罫線２を介して連設されている。
【００３５】
また、４つの短辺側壁板３ａには、図３（図１及び図２参照）に示すように、長さ方向である横方向Ｔ２の両側端側にそれぞれ、底板１の短辺と長辺の交点を基点とし、短辺側壁板３ａの下端から上端まで長さ方向Ｔ１に直交する上下方向（高さ方向）Ｔ３に延びるコーナー部折り罫線６が設けられている。そして、各短辺側壁板３ａには、横方向Ｔ１の両側端側にそれぞれ、コーナー部折り罫線６を介して横方向Ｔ１外側に延出し、紙容器Ｂの組み立て時にコーナー部折り罫線６で折り曲げて長辺側壁板３ｂに重なる重合部７が形成されている。
【００３６】
さらに、短辺側壁板３ａの両側端側にはそれぞれ、重合部７の側端から横方向Ｔ１外側に向かうに従い漸次上方に延設した舌片１１が設けられている。また、舌片１１は、重合部７の上下方向Ｔ３略中央部分から横方向Ｔ１外側の上方に向けて斜設され、傾斜して重合部７側を向く舌片１１の上方の外周端部分が係止端１１ａとされている。なお、舌片１１は、重合部７の側端から横方向Ｔ１外側に向かうに従い漸次下方に延設して形成されていてもよい。
【００３７】
また、短辺側壁板３ａの両側端側にはそれぞれ、コーナー部折り罫線６上に形成され、短辺側壁板３ａの上端から下端側に向けて凹む切り欠き部１６が設けられている。本実施形態では、この切り欠き部１６が、短辺側壁板３ａを上端から下端側に向けてＶ字状に切り込み、Ｖ字の頂点をコーナー部折り罫線６上に配して形成されている。
【００３８】
一方、４つの長辺側壁板３ｂにはそれぞれ、横方向Ｔ２の両側端側に、切り込み（切り込み線）１２が長辺側壁板３ｂの一面から他面に貫通形成されている。各切り込み１２は、長辺側壁板３ｂの側端から所定の間隔をあけ、且つ長辺側壁板３ｂの側端に沿う上下方向Ｔ４に延びる縦切り込み部１２ｂと、縦切り込み部１２ｂの下端から横方向Ｔ２内側に延びる下側横切り込み部１２ｃと、縦切り込み部１２ｂの上端から横方向Ｔ２内側に向かうに従い漸次上方に傾斜する斜め切り込み部１２ｄと、斜め切り込み部１２ｄの上端から横方向Ｔ２内側に延びる上側横切り込み部１２ｅとを備えて、略コ字状に形成されている。また、本実施形態では、各切り込み１２が長辺側壁板３ｂの上下方向Ｔ４略中央に配設されている。そして、切り込み１２の斜め切り込み部１２ｄによって係止受端１２ａが形成されている。
【００３９】
また、長辺側壁板３ｂの両側端側にはそれぞれ、長辺側壁板３ｂの上端側の側端から横方向外側に延出（突出）した係合凸部１７が形成されている。また、本実施形態の係合凸部１７は、その上端が長辺側壁板３ｂの中央側の上端と上下方向Ｔ４の同位置に配され、長辺側壁板３ｂの中央側の上端を横方向Ｔ２に延出した形で形成されている。また、この係合凸部１７は、その下端が長辺側壁板３ｂの側端から横方向Ｔ２外側に向かうに従い漸次上方に向けて傾斜し、さらに横方向Ｔ２外側に延びて形成されている。そして、本実施形態の係合凸部１７は、下端が傾斜した基端側の平面視略台形状の部分が当接部１７ａとされ、その下端が当接部１７ａの先端から横方向Ｔ２外側に延びる平面視方形状の部分が係合本体部１７ｂとされている。
【００４０】
また、長辺側壁板３ｂの両側端側にはそれぞれ、長辺側壁板３ｂの下端側の側端から横方向Ｔ２外側に延出（突出）した平面視方形状の突片部１８が形成されている。
【００４１】
ここで、本実施形態の紙容器Ａにおいては、短辺側壁板３ａの重合部７の側端から横方向Ｔ１外側に向かうに従い上方に延設した舌片１１と、長辺側壁板３ｂの側端側に形成された切り込み１２とによって、第１ロック機構１０が構成されている。
【００４２】
また、コーナー部折り罫線６上に形成され、短辺側壁板３ａの上端から下端側に向けて凹む切り欠き部１６と、長辺側壁板３ｂの上端側に形成され、長辺側壁板３ａの側端から横方向Ｔ２外側に延設された係合凸部１７とによって、第２ロック機構２０が構成されている。
【００４３】
さらに、長辺側壁板３ｂの側端から横方向Ｔ２外側に延設された突片部１８によって、第３ロック機構２１が構成されている。
【００４４】
次に、上記構成からなる本実施形態の紙容器Ｂの作用及び効果について説明する。
【００４５】
本実施形態の紙容器Ｂは、図１及び図２に示すように、平面視八角形の底板１と、底板１の各外周辺に連設された８つの側壁板３とを備えた一枚のブランク４を用い、インラインの製函工程で、各側壁板３を側壁板折り罫線２で折り曲げるとともに、隣り合う短辺側壁板３ａと長辺側壁板３ｂの端部側同士を結合して、トレー状（あるいは箱状）に組み立てられる。
【００４６】
このとき、まず、図３から図５に示すように、短辺側壁板３ａの重合部７がコーナー部折り罫線６で折り曲げて隣り合う長辺側壁板３ｂに重ね合わされ、短辺側壁板３ａの舌片１１が長辺側壁板３ｂの一面（本実施形態では外面）側から切り込み１２に差し込まれて長辺側壁板３ｂの他面（内面）側に出される。そして、このように舌片１１を切り込み１２に差し込むと、側壁板折り罫線２で折り曲げた短辺側壁板３ａと長辺側壁板３ｂがそれぞれ元に戻ろうとする力（側壁板３を開く方向Ｓ２の力）が働くとともに、舌片１１の重合部７側を向く係止端１１ａが切り込み部分の係止受端１２ａに引っ掛かる。これにより、切り込み１２に差し込んだ舌片１１が切り込み部分に係止され、これら舌片１１と切り込み１２からなる第１ロック機構１０によって、容易に隣り合う側壁板３ａ、３ｂ同士が結合する。
【００４７】
また、本実施形態の紙容器Ｂにおいては、上記のように第１ロック機構１０で隣り合う側壁板３ａ、３ｂ同士を結合し、紙容器Ｂを組み立てる際に、第２ロック機構２０の短辺側壁板３ａのコーナー部（コーナー部折り罫線６上）の切り欠き部１６に、長辺側壁板３ｂに形成した係合凸部１７を挿入して係合させる。また、このとき、係合凸部１７の係合本体部１７ｂを切り欠き部１６に挿入して係合させる。このように係合本体部１７ｂを係合させると、係合凸部１７の当接部１７ａが切り欠き部１６のＶ字の頂点に当接する。
【００４８】
ここで、従来の紙容器Ａにおいては、図１８に示したように、組み立て後、使用中に、第１ロック機構１０のロックが緩む方向Ｓ１に力が作用して舌片１１が切り込み１２から奥に押し込まれると、その後、短辺側壁板３ａや長辺側壁板３ｂに開く方向Ｓ２に作用する力によって、再度舌片１１の係止端１１ａが切り込み１２の係止受端１２ａに当接するように戻る際に、係止端１１ａが係止受端１２ａに引っ掛からず、舌片１１が切り込み１２から引き抜けてしまうおそれがあった。
【００４９】
これに対し、本実施形態の紙容器Ｂにおいては、図３から図５に示すように、第２ロック機構２０の係合凸部１７の係合本体部１７ｂが切り欠き部１６に係合しているため、また、係合凸部１７の当接部１７ａが切り欠き部１６のＶ字の頂点に当接しているため、第１ロック機構１０が緩む方向Ｓ１に力が作用しても、舌片１１の係止端１１ａが切り込み１２の係止受端１２ａから離れて舌片１１が切り込み１２から奥に押し込まれることが防止される。すなわち、第１ロック機構１０のロックが緩む方向Ｓ１に側壁板３ａ、３ｂが相対変位することが第２ロック機構２０によって規制される。このため、第１ロック機構１０が緩む方向Ｓ１に力が作用した後に、短辺側壁板３ａや長辺側壁板３ｂに開く方向Ｓ２の力が作用しても、舌片１１の係止端１１ａが切り込み部分の係止受端１２ａに引っ掛かった状態で保持され、舌片１１が切り込み１２から引き抜けてしまうことが防止される。
【００５０】
また、本実施形態の紙容器Ｂにおいては、図３及び図４に示すように、第１ロック機構１０で隣り合う側壁板３ａ、３ｂ同士を結合し、紙容器Ｂを組み立てる際に、第３ロック機構２１の長辺側壁板３ｂの側端から横方向Ｔ２外側に延設された突片部１８の先端が、短辺側壁板３ａのコーナー部折り罫線６上に当接する。これにより、第１ロック機構１０が緩む方向Ｓ１に力が作用しても、舌片１１の係止端１１ａが切り込み１２の係止受端１２ａから離れて舌片１１が切り込み１２から奥に押し込まれることが防止される。すなわち、第１ロック機構１０のロックが緩む方向Ｓ１に側壁板３ａ、３ｂが相対変位することが第３ロック機構２１によっても規制される。
【００５１】
そして、本実施形態では、第２ロック機構２０が側壁板３ｂの上端側に設けられて隣り合う側壁板３ａ、３ｂ同士の相対変位を規制し、第３ロック機構２１が側壁板３ｂの下端側に設けられて隣り合う側壁板３ａ、３ｂ同士の相対変位を規制するため、第１ロック機構１０が緩む方向Ｓ１に力が作用した後に、短辺側壁板３ａや長辺側壁板３ｂに開く方向Ｓ２の力が作用しても、舌片１１の係止端１１ａが切り込み部分の係止受端１２ａに引っ掛かった状態でさらに確実に保持され、舌片１１が切り込み１２から引き抜けてしまうことが防止される。
【００５２】
一方、本実施形態のように例えば冷凍ピザなどの食品（冷凍食品）を紙容器に収納し、オーブンや電子レンジなどで冷凍食品とともに加熱して使用される紙容器である場合には、耐水性や耐熱性を有するブランク４を用いて紙容器Ｂを形成することで好適に紙容器Ｂの形状を保持することが可能であるが、第１ロック機構１０の舌片１１などが水分で軟化し、これに伴い、舌片１１が切り込み１２から引き抜けてしまうおそれもある。
【００５３】
これに対し、本実施形態の紙容器Ｂのように、第２ロック機構２０や第３ロック機構２１を備えることによって、冷凍食品などを収納する紙容器Ｂであっても、第１ロック機構１０のロックが緩む方向Ｓ１に側壁板が相対変位することを防止し、確実に、舌片１１が切り込み１２から引き抜けてしまうことが防止される。
【００５４】
したがって、本実施形態の紙容器Ｂにおいては、従来と同様、第１ロック機構１０の舌片１１を切り込み１２に差し込み、舌片１１の重合部７側を向く係止端１１ａを切り込み部分の係止受端１２ａに引っ掛け、舌片１１が切り込み部分に係止されることで、側壁板３ａ、３ｂが開く方向Ｓ２に相対変位することを第１ロック機構１０によって規制するように隣り合う側壁板３ａ、３ｂ同士を結合することができ、トレー状あるいは箱状の紙容器Ｂを組み立てることができる。
【００５５】
また、第１ロック機構１０で隣り合う側壁板３ａ、３ｂ同士を結合するとともに、第２ロック機構２０の短辺側壁板３ａに形成した切り欠き部１６に、長辺側壁板３ｂに形成した係合凸部１７を挿入して係合させる。そして、このように第２ロック機構２０の切り欠き部１６に係合凸部１７を係合させることで、第１ロック機構１０の舌片１１の係止端１１ａと係止受端１２ａの引っ掛け状態が解除され、すなわち、舌片１１が切り込み１２にさらに押し込まれ、第１ロック機構１０のロックが緩む方向Ｓ１に側壁板３ａ、３ｂが相対変位することを第２ロック機構２０によって規制することができる。これにより、組み立て後、使用中に第１ロック機構１０の舌片１１が切り込み１２から引き抜けることを防止できる。
【００５６】
よって、本実施形態の紙容器Ｂによれば、第１ロック機構１０によって側壁板３ａ、３ｂが開く方向Ｓ２に相対変位することが規制され、第２ロック機構２０によって第１ロック機構１０のロックが緩む方向Ｓ１に相対変位することが規制されるため、組み立て後、使用中に第１ロック機構１０の舌片１１が切り込み１２から引き抜けることを防止でき、重合部７を接着剤で接着することなく、隣り合う側壁板３ａ、３ｂ同士を確実且つ強固に結合して紙容器Ｂを組み立てることが可能になる。
【００５７】
また、例えば冷凍食品を収納する紙容器Ｂの場合など、水分によって舌片１１が軟化しても、第２ロック機構２０を備えることで舌片１１が切り込み１２から引き抜けることを防止することができる。
【００５８】
また、本実施形態の紙容器Ｂにおいては、紙容器Ｂの組み立て時に突片部１８が短辺側壁板３ａのコーナー部折り罫線６上に当接することによって、第２ロック機構２０とともに、第３ロック機構２１によっても、第１ロック機構１０の舌片１１の係止端１１ａと係止受端１２ａの引っ掛け状態が解除され（舌片１１が切り込み１２にさらに押し込まれ）、第１ロック機構１０のロックが緩む方向Ｓ１に側壁板３ａ、３ｂが相対変位することを規制することができる。これにより、組み立て後、より確実に、第１ロック機構１０の舌片１１が切り込み１２から引き抜けることを防止できる。
【００５９】
さらに、耐水性及び／又は耐熱性を有する板紙４を用いて形成することによって、食品など、水分が多く、加熱を要する収納物を好適に収納できる紙容器Ｂの提供が可能になる。
【００６０】
また、本実施形態の紙容器Ｂにおいては、例えば冷凍ピザなどの食品（冷凍食品）を収納し、電子レンジで冷凍食品とともに加熱して使用される紙容器Ｂである場合に、底板１の内面などに、電子レンジから照射される電磁波を受けることによって発熱する発熱シート１５を貼着して紙容器Ｂを構成している。このように構成したことで、食品の発熱シート１５に接する面に焦げ目をつけたり、カリッとした仕上がりにすることが可能になる。
【００６１】
以上、本発明に係る紙容器の第１実施形態について説明したが、本発明は上記の第１実施形態に限定されるものではなく、その趣旨を逸脱しない範囲で適宜変更可能である。
【００６２】
例えば、本実施形態では、八角形の底板１と、底板１の各外周辺に連設された８つの側壁板３とを備えた一枚のブランク４を用いて紙容器Ｂが組み立て形成されているものとしたが、本発明にかかる紙容器は、勿論、八角形に限定する必要はなく、多角形の底板１を備えて形成されていればよい。また、紙容器がトレー状に形成されるものとして説明を行ったが、勿論、箱状の紙容器などに本発明を適用しても、本実施形態と同様の作用効果を得ることが可能である。
【００６３】
また、本実施形態では、第１ロック機構１０と第２ロック機構２０と第３ロック機構２１の３つのロック機構を備えて紙容器Ｂが構成されているものとしたが、本発明にかかる紙容器は、少なくとも第１ロック機構１０と第２ロック機構２０を備えていればよい。
【００６４】
また、本実施形態では、本発明にかかる一方の側壁板を短辺側壁板３ａ、他方の側壁板を長辺側壁板３ｂとして説明を行ったが、隣り合う一方の側壁板と他方の側壁板は特にその長さの大小を限定する必要はない。
【００６５】
さらに、本実施形態では、短辺側壁板３ａの長さ方向Ｔ１両側端側に重合部７及び舌片１１、切り欠き部１６を設け、長辺側壁板３ｂの長さ方向Ｔ２両側端側に切り込み１２、係合凸部１７、突片部１８を設けるものとしたが、一つの側壁板の一方の側端側に重合部７及び舌片１１、切り欠き部１６を設け、この一つの側壁板の他方の側端側に切り込み１２、係合凸部１７、突片部１８を設けて、隣り合う側壁板３ａ、３ｂ同士をロックする第１ロック機構１０、第２ロック機構２０、第３ロック機構２１をそれぞれ構成するようにしてもよい。
【００６６】
さらに、本実施形態では、第２ロック機構２０の係合凸部１７が、下端が長辺側壁板３ｂの側端から横方向Ｔ２外側に向かうに従い漸次上方に向けて傾斜し、さらに横方向Ｔ２外側に延びて形成され、基端側の平面視略台形状の当接部１７ａと、先端側の平面視方形状の係合本体部１７ｂを備えて形成されているものとした。
【００６７】
これに対し、図６から図８に示すように、第２ロック機構２０の係合凸部１７を、先端に引掛け部１７ｃを備えて鉤状に形成するようにしてもよい。そして、この場合においては、第２ロック機構２０の係合凸部１７を切り欠き部１６に挿入して係合させるとともに、鉤状の係合凸部１７の先端に設けられた引掛け部１７ｃを短辺側壁板３ａに引っ掛けて係止することができる。これにより、第２ロック機構２０によって第１ロック機構１０のロックが緩む方向Ｓ１に側壁板３ａ、３ｂが相対変位することを規制することに加え、短辺側壁板３ａを引掛け部１７ｃで係止することにより、各側壁板３ａ、３ｂが開く方向Ｓ２に相対変位することをも第２ロック機構２０によって規制することが可能になる。よって、組み立て後、さらに確実に、第１ロック機構１０の舌片１１が切り込み１２から引き抜けることを防止することが可能になる。
【００６８】
さらに、図９及び図１０に示すように、本実施形態よりも第２ロック機構２０の係合凸部１７を長く形成し、切り欠き部１６に係合凸部１７を挿入して係合させるとともに係合凸部１７の先端側（係合本体部１７ｂ）を折り返して短辺側壁板（一方の側壁板）３ａの側端を拘束し、隣り合う側壁板３ａ、３ｂ同士の相対変位を規制するように構成してもよい。
【００６９】
そして、この場合においては、第２ロック機構２０の係合凸部１７を切り欠き部１６に挿入して係合させるとともに係合凸部１７の先端側を折り返すことにより、短辺側壁板３ａの側端を係合凸部１７で拘束するようにして係止することができる。これにより、第２ロック機構２０によって第１ロック機構１０のロックが緩む方向Ｓ１に側壁板３ａ、３ｂが相対変位することを規制することに加え、係合凸部１７を折り返して短辺側壁板３ａを係止することで、側壁板３ａ、３ｂが開く方向Ｓ２に相対変位することをも第２ロック機構２０によって規制することが可能になる。これにより、組み立て後、さらに確実に、第１ロック機構１０の舌片１１が切り込み１２から引き抜けることを防止できる。
【００７０】
次に、図１１から図１４を参照し、本発明の第２実施形態に係る紙容器について説明する。ここで、本実施形態においては、第１実施形態と同様の構成に対して同一符号を付し、その詳細な説明を省略する。
【００７１】
本実施形態の紙容器Ｃは、第１実施形態と同様、図１１及び図１２に示すように、平面視八角形の底板１と、底板１の各外周辺に連設された８つの側壁板３とを備えた一枚のブランク４をインラインの製函工程で組み立てて形成される。また、この紙容器Ｃは、隣り合う側壁板３ａ、３ｂ同士を第１ロック機構１０と第２ロック機構２０によって結合（ロック）して組み立てられる。
【００７２】
一方、本実施形態の紙容器Ｃにおいては、八角形状（多角状）の底板１の周方向に連続して並ぶ３つの外周辺のうち、１つの短辺（第１の外周辺）を間に周方向両側に配された２つの長辺（第２の外周辺と第３の外周辺）にそれぞれ、側壁板折り罫線３を介して長辺側壁板３ｂ、３ｃが連設されている。また、一方の長辺に連設した一方の長辺側壁板３ｃには、コーナー部折り罫線６を介して横方向Ｔ２外側に延出し、紙容器Ｃの組み立て時にコーナー部折り罫線６で折り曲げて短辺に沿って配設される（短辺に連設されていない）短辺側壁板３ａが連設されている。
【００７３】
また、本実施形態においては、底板１が、短辺部分に、この短辺に沿って配設される短辺側壁板３ａの下端を支持するように外側に延出する額部２２を備えて形成されている。
【００７４】
また、短辺側壁板３ａの一側端にのみ、コーナー部折り罫線６を介して重合部７が設けられ、さらに第１ロック機構１０の舌片１１と、第２ロック機構２０の切り欠き部１６が設けられている。また、他方の長辺側壁板３ｂの両側端側にそれぞれ、第１ロック機構１０の切り込み１２と、第２ロック機構２０の係合凸部１７が設けられている。
【００７５】
そして、このように構成した本実施形態の紙容器Ｃにおいては、短辺側壁板３ａの重合部７をコーナー部折り罫線６で折り曲げつつ、隣り合う他方の長辺側壁板３ｂに重ね合わせ、短辺側壁板３ａの舌片１１を他方の長辺側壁板３ｂの一面側から切り込み１２に差し込んで他方の長辺側壁板３ｂの他面側に出す。このように舌片１１を切り込み１２に差し込むと、側壁板折り罫線２で折り曲げた一方の長辺側壁板３ｃと他方の長辺側壁板３ｂにそれぞれ元に戻ろうとする力（開く方向Ｓ２の力）が働くとともに、短辺側壁板３ａの舌片１１の重合部７側を向く係止端１１ａが他方の長辺側壁板３ｂの切り込み部分の係止受端１２ａに引っ掛かる。これにより、切り込み１２に差し込んだ舌片１１が切り込み部分に係止され、これら舌片１１と切り込み１２からなる第１ロック機構１０によって、容易に隣り合う側壁板３ａ、３ｂ同士が結合する。
【００７６】
また、第１ロック機構１０で隣り合う側壁板３ａ、３ｂ同士を結合し、紙容器Ｃを組み立てる際に、第２ロック機構２０の短辺側壁板３ａのコーナー部（コーナー部折り罫線６上）の切り欠き部１６に、他方の長辺側壁板３ｂに形成した係合凸部１７を挿入して係合させる。
【００７７】
そして、第２ロック機構２０の係合凸部１７が切り欠き部１６に係合しているため、また、係合凸部１７が切り欠き部１６のＶ字の頂点に当接するため、第１ロック機構１０が緩む方向Ｓ１に力が作用しても、舌片１１の係止端１１ａが切り込み１２の係止受端１２ａから離れて舌片１１が切り込み１２から奥に押し込まれることが防止される。すなわち、第１実施形態と同様、第１ロック機構１０のロックが緩む方向Ｓ１に側壁板３ａ、３ｂが相対変位することが第２ロック機構２０によって規制される。このため、第１ロック機構１０が緩む方向Ｓ１に力が作用した後に、短辺側壁板３ａや長辺側壁板３ｂに開く方向Ｓ２の力が作用しても、舌片１１の係止端１１ａが切り込み部分の係止受端１２ａに引っ掛かった状態で保持される。よって、舌片１１が切り込み１２から引き抜けてしまうことが防止される。
【００７８】
一方、本実施形態では、このように第１ロック機構１０と第２ロック機構２０によって短辺側壁板３ａと他方の長辺側壁板３ｂの隣り合う側壁板３ａ、３ｂ同士を結合すると、一方の長辺側壁板３ｃに接続し、底板１に連設されていない短辺側壁板３ａは、自動的に、底板１の短辺に沿って配設される。
【００７９】
このとき、上記のように短辺側壁板３ａを底板１に連設せずに構成した場合、図１３に示すように、底板１に連接されていない短辺側壁板３ａに開く方向Ｓ１の力が作用すると、短辺側壁板３ａが底板１よりも下方に落ち込むように変位し、図１４に示すように、第１ロック機能１０の舌片１１が切り込み１２から引き抜けてしまうおそれがある。
【００８０】
これに対し、本実施形態の紙容器Ｃにおいては、図１１及び図１２に示すように、底板１に形成した額部２２によって、短辺側壁板３ａを受けてその下端を支持することにより、この短辺に沿って配設される短辺側壁板３ａが落ち込むことを防止でき、組み立て後、使用中に、短辺側壁板３ａの落ち込みに伴って第１ロック機構１０の舌片１１が切り込み１２から引き抜けることを防止できる。
【００８１】
また、短辺側壁板３ａを底板１に連設せずに構成した場合には、第１ロック機構１０や第２ロック機構２０の数を減らすことができ、成形機構を容易にすることが可能になる。
【００８２】
以上、本発明に係る紙容器の第２実施形態について説明したが、本発明は上記の第１実施形態に限定されるものではなく、第１実施形態の記載例、変更例を含め、その趣旨を逸脱しない範囲で適宜変更可能である。
【符号の説明】
【００８３】
１      底板
２      側壁板折り罫線
３      側壁板
３ａ    短辺側壁板（一方の側壁板）
３ｂ    長辺側壁板（他方の側壁板）
３ｃ    長辺側壁板（側壁板）
４      ブランク
６      コーナー部折り罫線
７      重合部
１０    第１ロック機構
１１    舌片
１１ａ  係止端
１２    切り込み
１２ａ  係止受端
１２ｂ  縦切り込み部
１２ｃ  下側横切り込み部
１２ｄ  斜め切り込み部
１２ｅ  上側横切り込み部
１５    発熱シート（サセプター）
１６    切り欠き部
１７    係合凸部
１７ａ  当接部
１７ｂ  係合本体部
１７ｃ  引掛け部
１８    突片部
２０    第２ロック機構
２１    第３ロック機構
２２    額部
Ａ      従来の紙容器
Ｂ      紙容器
Ｃ      紙容器
Ｓ１    ロックが緩む方向
Ｓ２    側壁板が開く方向
Ｔ１    横方向
Ｔ２    横方向
Ｔ３    上下方向
Ｔ４    上下方向
【図１】
2013052884.tif 000003
【図２】
2013052884.tif 000004
【図３】
2013052884.tif 000005
【図４】
2013052884.tif 000006
【図５】
2013052884.tif 000007
【図６】
2013052884.tif 000008
【図７】
2013052884.tif 000009
【図８】
2013052884.tif 000010
【図９】
2013052884.tif 000011
【図１０】
2013052884.tif 000012
【図１１】
2013052884.tif 000013
【図１２】
2013052884.tif 000014
【図１３】
2013052884.tif 000015
【図１４】
2013052884.tif 000016
【図１５】
2013052884.tif 000017
【図１６】
2013052884.tif 000018
【図１７】
2013052884.tif 000019
【図１８】
2013052884.tif 000020